(57)【要約】【課題】防草機能を賦与する側の底面が路面から浅くなるコンクリートブロックに対し強度低下を招くことなく低コストで容易に防草機能を賦与する。【解決手段】路面形成材と密着する境界ブロック５０，６０の外周面側に付設されて雑草の屈光性及び屈地性を利用して防草機能を発揮する防草誘導部１０を備えた防草板１Ａであって、その形状を長方形の平板を短径方向中途位置で長手方向全長に亘る折り線１０ａで鈍角の内角となるように屈曲してなるものとし、折り線１０ａを境界として、一方の平板部分が設置位置に置いた境界ブロック５０，６０の側方からその底面と設置面との間に挿入して固定される挿入固定部１１となり、他方の平板部分が水平に固定された挿入固定部１１から折り線１０ａを起点にして斜め上向きに屈曲した状態で路面形成材中に埋設されて防草機能を発揮する防草誘導部１０となるものとした。【選択図】図３
2017071899.tif 000002
【特許請求の範囲】
【請求項１】
路面形成材と密着するコンクリートブロックの外周面側に付設され、雑草の屈光性及び屈地性を利用して防草機能を発揮する防草誘導部を備えた防草板において、その形状は長方形の平板を短径方向中途位置で長手方向全長に亘る折り線で鈍角の内角となるように屈曲してなるものとされ、前記折り線を境界として、一方の平板部分が設置位置に置いた前記コンクリートブロックの側方からその底面と設置面との間に挿入して固定される挿入固定部とされ、他方の平板部分が水平に固定された前記挿入固定部から前記折り線を起点にして斜め上向きに屈曲した状態で前記路面形成材中に埋設されて防草機能を発揮する防草誘導部とされている、ことを特徴とするコンクリートブロック用の防草板。
【請求項２】
前記防草誘導部の上面又は／及び下面の所定位置から前記折り線に対し直角な面に沿って板状に延設されて先端側が前記設置面又は前記コンクリートブロックの外周面に当接することで固定状態を補強する補強リブが、長径方向所定間隔で複数条設けられている、ことを特徴とする請求項１に記載したコンクリートブロック用の防草板。
【請求項３】
前記挿入固定部の先端側には、前記挿入固定部の基端側上面と面一の上面を有して延設された所定形状の差込用凸部が長径方向所定間隔で複数条設けられている、ことを特徴とする請求項１又は２に記載したコンクリートブロック用の防草板。
【請求項４】
前記差込用凸部の先端縁又は／及び並列した前記差込用凸部の間隔部分になる前記基端部分の先端縁は、面取りが施されて縦断面形状が鋭角とされている、ことを特徴とする請求項３に記載したコンクリートブロック用の防草板。
【請求項５】
前記防草誘導部は、前記コンクリートブロックの底面側に前記挿入固定部を水平に挿入・固定した状態でその仰角が４５度±１５度となる、ことを特徴とする請求項１，２，３又は４に記載したコンクリートブロック用の防草板。
【発明の詳細な説明】
【技術分野】
【０００１】
本発明は、コンクリートブロック用の防草板に関し、殊に、路面の境界に配置されたコンクリートブロックと路面形成材（舗装材）との隙間から雑草が生長して繁殖するのを防止するための防草板に関する。
【背景技術】
【０００２】
車道と歩道の境界部分や車道と中央分離帯の境界部分等を形成するものとしてコンクリート製の境界ブロックが周知であるが、この境界ブロックと路面形成材の隙間から雑草が生長して繁殖することが道路管理上の大きな問題となっており、その対策として、特開２００６―５２６２６号公報に記載され図７に示すような防草ブロック５５を用いることが行われている。
【０００３】
即ち、防草ブロック５５の境界側の隙間にある雑草の種子は、発芽すると根は下方に伸び茎は上方に延伸びる性質（屈地性・屈光性）を有していることから、その防草ブロック５５の境界側になる外周面の横幅方向全長に亘って図のような防草構造としての凹部５５０を形成しておくことで、その上方から伸びた根は隙間を伝って下方に進んだ後に上向きに誘導され、その下方から伸びた茎は隙間を伝って上方に進んだ後に下向きに誘導されるため、各々成長が阻害されて防草効果を発揮すると言われている。
【０００４】
しかし、図８（Ａ）に示す逆Ｔ字型にしたベース付の境界ブロック６０のように、その境界側の底面が一点鎖線で示す路面から浅くなる構造のコンクリートブロックにあっては、図８（Ｂ）に示すように防草構造としての凹部６５０や凹部７５０を設けた場合、その部分における底面から空隙部分までの厚さが薄くなるため、強度低下を招いてその部分で破損・破断を生じやすくなってしまう。
【０００５】
この問題に対し、図９に示すように、板状部材からなる固定部の上端側を鋭角に曲げてなる防草誘導部を有した防草板１Ｅを、境界ブロック６０のベース部外周面に接着したり、防草誘導部とは反対側の固定部下端側から直角に曲げてなる挿入固定部を有した防草板１Ｆを、ベース部底面と整地面１００の上に設けた固定用モルタル２００の間に水平に差し込んだりすることで、簡易に防草構造を設ける手法が特開２０１０−１４４３４８号公報に提案されている。
【０００６】
このような防草板１Ｅ，１Ｆを用いることで、既存の境界ブロックにそのまま防草構造を設けながら、それを取付ける部分の強度低下も回避することができる。ところが、その防草板１Ｅ，１Ｆは、平板状の固定部を鋭角に屈曲した下向きの防草誘導部を有した構造であることから、路面構成材を充填する際に防草誘導部と固定部の間に形成された空間の上部側に空気の逃げ道がないため、未充填の空隙部分を生じやすいとともに空隙部の発生を確認するのに手間を要してしまう。また、防草板１Ｅはその固定部をベース部外周面に固定するのに接着剤で接着する手間を要し、防草板１Ｆは固定作業が容易であるものの屈曲部が２箇所あるため、その製作のために余分な手間とコストを要してしまう。
【先行技術文献】
【特許文献】
【０００７】
【特許文献１】特開２００６―５２６２６号公報
【特許文献２】特開２０１０−１４４３４８号公報
【発明の概要】
【発明が解決しようとする課題】
【０００８】
本発明は、上記のような問題を解決しようとするものであり、防草機能を賦与する側の底面が路面から浅い位置になるコンクリートブロックであっても、強度低下を招くことなく低コストで容易に防草機能を賦与できるようにすることを課題とする。
【課題を解決するための手段】
【０００９】
そこで、本発明は、路面形成材と密着するコンクリートブロックの外周面側に付設され、雑草の屈光性及び屈地性を利用して防草機能を発揮する防草誘導部を備えた防草板において、その形状は、長方形の平板を短径方向中途位置で長手方向全長に亘る折り線で鈍角の内角となるように屈曲してなるものとされ、前記折り線を境界として、一方の平板部分が設置位置に置いたコンクリートブロックの側方からその底面と設置面との間に挿入して固定される挿入固定部とされ、他方の平板部分が水平に固定された前記挿入固定部から前記折り線を起点にして斜め上向きに屈曲した状態で路面形成材中に埋設されて防草機能を発揮する防草誘導部とされている、ことを特徴とするものとした。
【００１０】
即ち、底面が路面から浅くなる薄い構造部分を有したコンクリートブロックにおいては、凹部による既存の防草構造では強度低下を招きやすく、既存の防草板では付設のために手間とコストを要していたが、このように長方形の平板の短径方向中途位置で鈍角の内角になるように屈曲しただけの簡易な構成の本発明によると、コンクリートブロックの底面側に挿入固定部を挿入・固定し、斜め上向きに支持された防草誘導部を路面形成材で埋めるだけの作業で、低コスト且つ容易に配設することが可能なものとなる。
【００１１】
また、このコンクリートブロック用の防草板において、その防草誘導部の上面又は／及び下面の所定位置から前記折り線に対し直角な面に沿って板状に延設されて先端側が設置面又はコンクリートブロック外周面に当接することで固定状態を補強する補強リブが、長径方向所定間隔で複数条設けられていることを特徴とするものとすれば、路面形成材の充填作業・路面の押圧作業に伴う防草板の脱落や向きの変動を防止しやすいものとなる。
【００１２】
さらに、上述したコンクリートブロック用の防草板において、その挿入固定部の先端側には、前記挿入固定部の基端側上面と面一の上面を有して延設された所定形状の差込用凸部が長径方向所定間隔で複数条設けられている、ことを特徴としたものとすれば、挿入固定部の挿入作業が容易になるとともに、所定の接着面積を確保可能なものとして、コンクリートブロックの設置面に対する接着力の低下を最小限に抑えながら挿入固定部の固定状態が安定しやすいものとなる。
【００１３】
この場合、その差込用凸部の先端縁又は／及び並列した差込用凸部の間隔部分になる前記基端部分の先端縁は、面取りが施されて縦断面形状が鋭角とされていることを特徴としたものとすれば、コンクリートブロックの底面に沿って差込みながら挿入しやすいものとなる。
【００１４】
加えて、上述したコンクリートブロック用の防草板において、その防草誘導部は、コンクリートブロックの底面側に挿入固定部を水平に挿入・固定した状態でその仰角が４５度±１５度となることを特徴としたものとすれば、様々な雑草に対してその屈光性及び屈地性を利用可能な状態としながら有効な防草機能を発揮しやすいものとなる。
【発明の効果】
【００１５】
挿入固定部をコンクリートブロック底面と設置面の間に挿入するだけで防草誘導部が斜め上向きに支持されるものとした本発明によると、防草機能を賦与する側の底面が路面から浅い位置になるコンクリートブロックであっても、強度低下を招くことなく低コストで容易に防草構造を賦与できるものである。
【図面の簡単な説明】
【００１６】
【図１】本発明における実施の形態であるコンクリートブロック用の防草板の平面図である。
【図２】（Ａ）は図１のＡ−Ａ線に沿う拡大した断面図、（Ｂ）は（Ａ）の防草板の変形例の断面図である。
【図３】（Ａ）は図１の防草板をベース付の境界ブロックに付設した状態の縦断面図、（Ｂ）は図１の防草板を境界ブロックの道路側に付設した状態の縦断面図である。
【図４】（Ａ）は図１の防草板の応用例の部分斜視図、（Ｂ）は（Ａ）の縦断面図である。
【図５】（Ａ）は図４の防草板の変形例を示す部分斜視図、（Ｂ）は（Ａ）の縦断面図である。
【図６】（Ａ）は図５の防草板をベース付の境界ブロックに付設した状態の縦断面図、（Ｂ）は図５の防草板を境界ブロックの道路側に付設した状態の縦断面図である。
【図７】従来の防草ブロックの縦断面図である。
【図８】（Ａ）は一般的なベース付の境界ブロックの縦断面図、（Ｂ）は（Ａ）のベース付の境界ブロックの両側面に防草構造を設けた従来の防草ブロックの縦断面図である。
【図９】図８（Ａ）のベース付の境界ブロックの両外周面に、従来の防草板を付設した状態を示す縦断面図である。
【発明を実施するための形態】
【００１７】
以下に、図面を参照しながら本発明を実施するための形態を説明する。
【００１８】
図１は本実施の形態であるコンクリートブロック用の防草板１Ａを平面図で示している。この防草板１Ａは、図８（Ａ）に示したベース付の境界ブロック６０のように、配設状態で防草機能を賦与する側の底面が路面から浅い位置になるコンクリートブロックに対し適用される部材であって、路面形成材と密着する側コンクリートブロックの外周面に付設することで、雑草の屈光性及び屈地性を利用しながら防草機能を発揮するものである。
【００１９】
また、この防草板１Ａは、帯状に長尺に形成された長方形の平板を短径方向中途位置で長手方向全長に亘る折り線１０ａにて、図２（Ａ）のＡ−Ａ線断面図に示すように、内角が鈍角の断面く字状に屈曲した形状を有しており、その折り線１０ａを境界として、一方の平板部分が設置位置に置いたコンクリートブロックの側方からその底面と設置面との間に挿入して水平に固定される挿入固定部１１となり、他方の平板部分が、水平の挿入固定部１１から前記折り線１０ａを基点にして斜め上向きに屈曲した状態にて路面形成材中に埋設されることで、防草機能を発揮する防草誘導部１０となる。
【００２０】
斯かるコンクリートブロック用の防草板１Ａは、例えば所定幅の帯状の金属板を屈曲して成形することで容易に製作されるものであるが、その左右幅（長手方向の幅）は付設対象のコンクリートブロックの左右幅に略一致したものであることが好ましい。また、この防草板１Ａは、挿入固定部１１の基端部分１１ａの先端側にその表裏両面と面一の板状に延設された所定形状の差込用凸部１１１が長径方向所定間隔で複数条設けられて櫛状を呈しており、これにより挿入固定部１１の挿入作業が容易になるとともに固定用モルタル２００による設置面とコンクリートブロック底面との接着面積が確保されるため、設置面に対する接着力の低下を最小限に抑えながら防草板１Ａの固定状態を安定させやすいものとしている。
【００２１】
図２（Ｂ）は、前述した防草板１Ａの変形例としての防草板１Ｂの縦断面図である。この例では、その挿入固定部１３における各差込用凸部１３１の先端縁１３１ｂ及び並列した差込用凸部１３１，１３１の各間隔部分になる基端部分１３ａの先端縁１３１ａに、コンクリートブロック底面に接する側が先端となるように面取りが施されて縦断面形状が鋭角となっており、コンクリートブロックの底面と設置面との間に差込んで挿入しやすい形状となっている。
【００２２】
図３（Ａ）は、前述した防草板１Ａ，１Ａを、設置位置に置いた境界ブロック６０の路面形成材と密着する両外周面側に付設した状態を示している。上述したように、底面が路面から浅くなるベース部のような薄い構造部分有したコンクリートブロックにおいては、凹部による既存の防草構造を設けると強度低下を招きやすく、既存の防草板ではその製作や設置に手間とコストを要していた。
【００２３】
これに対し、上述したように帯状の平板状部材の短径方向中途位置で鈍角に屈曲しただけの簡易な構成の本実施の形態による防草板１Ａは、コンクリートブロックの底面と整地面１００に設けた固定用モルタル２００等による設置面の間にその挿入固定部１１を差し込んで折り線１０ａ位置まで挿入するだけで、防草誘導部１０が防草機能を発揮可能な斜め上向きの状態で支持・固定され、これを図示しない路面形成材により一点鎖線で示す路面の高さまで充填して埋めるだけの簡易な作業で、防草誘導部１０の上下側に空隙部を形成することなく、低コスト且つ容易に防草機能を賦与することができる。
【００２４】
また、図３（Ｂ）に示す境界ブロック５０のように、ベース部のような構造的に薄い部分を有していないものであっても、底面が路面から浅くなる配置方法を採用する際に防草機能を賦与するケースであっても前述と同様であり、挿入固定部１１を境界ブロック５０の底面と設置面との間に差し込んで挿入するだけで、防草機能を容易に賦与することができる。
【００２５】
尚、コンクリートブロックの底面と設置面の間に挿入固定部１１を水平に挿入して固定した状態における防草誘導部１０の仰角（水平からの起き上がり角度）及び長さは、多種類の雑草の屈光性・屈地性を利用しながら防草機能を発揮させることと施工性とのバランスの観点から、４５度±１５度の範囲の角度で、４〜８ｃｍの長さであることが好ましい。
【００２６】
図４（Ａ）は、上述した防草板１Ｂの応用例としての防草板１Ｃの部分斜視図、（Ｂ）は縦断面図を示している。この例では、図２（Ｂ）に示した防草板１Ｂの防草誘導部１２の上面及び下面に、その折り線に対し直角な面に沿って板状に延設されその先端側が設置面とコンクリートブロック外周面に当接して固定状態を補強するものとした補強リブ１４１，１４２を、長径方向に所定間隔で複数条設けた点を特徴としている。
【００２７】
この防草板１Ｃにおける補強リブ１４１，１４２は、本実施の形態では図４（Ｂ）に示すように側面視直角三角形の平板状とされ、図３（Ａ）のように境界ブロック６０に付設した場合、補強リブ１４１では垂直になる一辺が境界ブロック６０の外周面に当接し、補強リブ１４２では水平になる一辺が設置面に当接することから、防草板１Ｃの固定状態が安定して路面形成材の充填作業や路面押圧作業に伴う防草板１Ｃの脱落や向きの変動を回避しやすいものとなる。
【００２８】
加えて、このような補強リブ１４１，１４２があることで、その挿入固定部１５及び防草誘導部１４及びその屈曲部分の強度が高くなくても、防草誘導部１４の変形や破損を回避しやすいものとなる。したがって、上述した防草板１Ａ，１Ｂは、強度確保の観点から金属板を屈曲して製作することが好ましいのに対し、この防草板１Ｃは所定レベルの耐腐食性が確保できる限り樹脂成形品であっても良く、これにより製作の容易さ・コスト性・軽さの観点で有利なものとなる。
【００２９】
図５（Ａ）は、前述した防草板１Ｃの応用例としての防草板１Ｄの部分斜視図、（Ｂ）は縦断面図を示している。この例では、前述した防草板１Ｃの防草誘導部１４の上面側の補強リブ１４１を除いたことで下面側の補強リブ１６１のみを備えた防草誘導部１６となっており、且つ、その補強リブ１６１の下端側が挿入固定部１７の底面よりも低い位置まで延長されるとともにそのまま挿入固定部１７の先端側まで横向きに延長されて、各補強リブ１６１の位置に一致するように配設された差込用凸部１７１の下側部分と一体となっている点を特徴としている。
【００３０】
このように、長手方向に所定間隔で設けた補強リブ１６１の下端側を延長して差込用凸部１７１の下端側と一体にしながらその上下方向の厚さを増したことにより、補強リブ１６１から延長された部分が挿入固定部１７及び差込用凸部１７１を補強するリブとして機能するため、全体の強度がさらに向上するとともに、その固定状態が一層安定したものとなる。
【００３１】
図６（Ａ），（Ｂ）は、前述した防草板１Ｄを境界ブロック５０，６０に各々付設した状態を示しているが、防草板１Ｄの差込用凸部１７１は防草板１Ｃの差込用凸部１５１よりも横幅が狭く上下幅が広いナイフ状の構造であるため、その固定用モルタル２００を上面から切り込みながら挿入することで境界ブロック５０，６０の底面側に容易に差し込むことができ、その差し込んだ部分が固化後の固定用モルタル２００で堅固に支持されるものとなる。
【符号の説明】
【００３２】
１Ａ，１Ｂ，１Ｃ，１Ｄ  防草板、１０，１２，１４，１６  防草誘導部、１０ａ，１２ａ，１４ａ，１６ａ  折り線、１１，１３，１５，１７  挿入固定部、１１ａ，１３ａ，１１１，１３１，１５１，１７１  差込用凸部、５０，６０  境界ブロック、１４１，１４２，１６１  補強リブ、２００  固定用モルタル
【図１】
2017071899.tif 000003
【図２】
2017071899.tif 000004
【図３】
2017071899.tif 000005
【図４】
2017071899.tif 000006
【図５】
2017071899.tif 000007
【図６】
2017071899.tif 000008
【図７】
2017071899.tif 000009
【図８】
2017071899.tif 000010
【図９】
2017071899.tif 000011